(57)【要約】【課題】簡易な構成で、全ての表示装置に対して個々の表示装置毎にアドレス設定を行う必要を無くして設置時の手間を軽減し、タイル表示装置における位置検出の際の周囲環境の条件を緩和することが可能な映像表示システムを提供すること。【解決手段】複数のタイル表示部７と、イーサネット９を介してタイル表示部７に接続され、タイル表示部７の各々に固有のＩＰアドレスを割り当てるＤＨＣＰサーバと、複数のタイル表示部７の映像を撮影し、該映像に関する映像信号６を出力する撮像装置５と、特定のＩＰアドレスを有するタイル表示部に対して、表示データを、イーサネット９を介して送信し、かつ映像信号が入力され、該映像信号を画像処理して、上記特定の論理アドレスと、タイル表示部の物理的な位置との関係を取得する取得手段とを有し、イーサネット９を介して、タイル表示部７に接続された表示制御装置３とを備える。【選択図】図４
2008164986.tif 000002
【特許請求の範囲】
【請求項１】
各々が点灯手段を有する、複数のタイル表示部と、
ネットワークを介して前記タイル表示部に接続され、前記タイル表示部の各々に固有の論理アドレスを割り当てる割り当て手段と、
前記割り当てられた論理アドレスから１つの論理アドレスを選択し、該選択された論理アドレスを有するタイル表示部に対して、前記点灯手段を点灯させる命令を含む表示データを、前記ネットワークを介して送信する表示データ送信手段と、
前記複数のタイル表示部の映像を撮影し、該映像に関する映像信号を出力する撮像手段と、
前記映像信号が入力され、該映像信号を画像処理して、前記選択された論理アドレスと、前記複数のタイル表示部の配置位置に対する、前記表示データに応じて点灯した点灯手段を有するタイル表示部の物理的な位置との関係を取得する取得手段と
を備えることを特徴とする映像表示システム。
【請求項２】
前記複数のタイル表示部により大画面が形成され、
前記大画面の４隅に位置するタイル表示部には、前記割り当て手段にて割り当てられる論理アドレスとは異なるアドレスが予め割り当てられていることを特徴とする請求項１記載の映像表示システム。
【請求項３】
前記異なるアドレスに前記表示データを送信する手段をさらに備え、
前記取得手段は、前記手段が前記異なるアドレスに前記表示データを送信した際の、前記４隅に位置するタイル表示部が有する点灯手段が点灯した第２の映像信号から、前記複数のタイル表示部の配置位置に対する、前記４隅の物理的な位置を取得し、該位置と前記映像信号とから、前記表示データに応じて点灯した点灯手段を有するタイル表示部の、前記４隅に対する相対位置を取得することを特徴とする請求項２記載の映像表示システム。
【請求項４】
前記点灯手段は、前記タイル表示部のディスプレイ部であることを特徴とする請求項１乃至３のいずれかに記載の映像表示システム。
【請求項５】
前記点灯手段は、発光素子であることを特徴とする請求項１乃至３のいずれかに記載の映像表示システム。
【請求項６】
各々が点灯手段を有する、複数のタイル表示部と、
ネットワークを介して前記タイル表示部に接続され、前記タイル表示部の各々より論理アドレスの取得の要求を受信すると、前記タイル表示部の各々に固有の論理アドレスを割り当てるサーバと、
前記複数のタイル表示部の映像を撮影し、該映像に関する映像信号を出力する撮像手段と、
前記割り当てられた論理アドレスから１つの論理アドレスを選択し、該選択された論理アドレスを有するタイル表示部に対して、前記点灯手段を点灯させる命令を含む表示データを、前記ネットワークを介して送信する表示データ送信手段と、前記映像信号が入力され、該映像信号を画像処理して、前記選択された論理アドレスと、前記複数のタイル表示部の配置位置に対する、前記表示データに応じて点灯した点灯手段を有するタイル表示部の物理的な位置との関係を取得する取得手段とを有し、前記ネットワークを介して、前記タイル表示部に接続された制御装置と
を備えることを特徴とする映像表示システム。
【発明の詳細な説明】
【技術分野】
【０００１】
本発明は、映像表示システムに関し、より詳細には、有機ＥＬディスプレイや液晶ディスプレイ等の表示装置を複数枚使用して、大型の表示装置を構成するタイル式表示装置の表示位置の設定を行う映像表示システムに関する。
【背景技術】
【０００２】
従来では、複数の表示装置を並べる（例えば、縦横に並べる）ことによって構成された、大画面のタイル式表示装置において、個々の表示装置が有するタイル表示制御装置のアドレスを設定し、大画面の表示位置とアドレスとを対応付けている。これにより、任意のタイル表示制御装置に必要画像を表示させることが可能になる。
【０００３】
そのため、従来技術では、  
１）大型の表示装置を構成する、個々のタイル表示制御装置に表示画面中のアドレスを設定するスイッチを設ける。  
２）大型の表示装置を構成する、個々のタイル表示制御装置にＰＣインタフェースを設けてＰＣから表示画面中のアドレスを設定する。  
という方法を用いていた。
【０００４】
また、特許文献１では、各画像表示装置に反射器によって構成されている位置検出部を設け、各画像表示装置の位置を検出する画像制御装置に、ＬＥＤ等の光源と、駆動回路と、受光器と、受信回路とを有する画像表示システムにおける、画像表示装置の位置検出方法が記載されている。特許文献１では、上記位置検出方法として光を用いており、画像表示装置の位置検出部から各画像表示装置へと光を照射して反射器にて上記光を反射し、該反射光を画像制御装置の受光器にて受光する。画像制御装置は、受光した光に基づいて各画像表示装置の位置を算出している。
【０００５】
また、特許文献１の別の形態では、各画像表示装置に基準線を設け、撮像部が基準線を含むようにして各画像表示装置を撮影し、画像制御部が、基準線の撮像面における投影された長さを算出して、各画像表示装置の位置関係を算出している。
【０００６】
特許文献１では、上記２つの形態共に、各画像表示装置が備える記憶部には位置検出時、通信時のデータの受け渡し時に、画像表示装置を識別するための、各画像表示装置に予め割り当てられた識別子ＩＤが記録されている。
【０００７】
【特許文献１】特開２００５−１７３２９１号公報
【発明の開示】
【発明が解決しようとする課題】
【０００８】
しかしながら、特許文献１において光を用いて位置検出を行う場合、画像制御装置に光源、該光源の駆動回路、受信器、受信回路などの構成要素を備える必要があり、また、画像表示装置にも反射器を設ける必要があり、装置の構成が複雑であった。また、特許文献１では、ミリメートルオーダ、望ましくは、サブミリメートルオーダの位置検出精度を出すことが前提であり、そのために、位置検出に光を用いている。
【０００９】
また、特許文献１において撮像部を用いて位置検出を行う場合、位置検出に用いられる基準線について、その長さ、または他の画像表示装置の基準線の位置とその間隔を予め既知としておかなければならず、各画像表示装置の設置時に複雑な工程を要していた。
【００１０】
また、上記撮像部を用いる場合、基準線を含むように各画像表示装置を撮影するわけだが、用いられる基準線は、画像表示装置の外周境界線や画像表示装置の外枠の輪郭線などである。従って、基準線が適切に識別できる環境でなければ、良好な情報を得ることが困難である。例えば、画像表示装置の周囲が暗い場合は、基準線を検出することが困難となる。このように、基準線の検出について、周囲の環境の影響により、撮影条件に制限があった。
【００１１】
また、特許文献１では、各画像表示装置の位置を検出するために、得られた情報（光パルスの往復飛行時間、画像制御装置から見た画像表示装置の傾き、基準線の投影面における投影された長さ）に基づいて、相対位置を算出するための手段を設けなければならなかった。
【００１２】
さらに、特許文献１を含めて従来の大型の表示装置を構成する場合、個々の表示装置（タイル表示装置）のアドレスとその表示位置の対応とを事前に決めておく必要があった。従って、全ての表示装置に対して、設置時に各表示装置へのアドレスの割り当てや、画像制御装置における上記アドレスと各表示装置の物理的位置との対応付けを行う必要があり、設置時に複雑な工程を要していた。
【００１３】
このため、タイル表示制御装置の初期設定時や故障やメンテナンスで個々のタイル表示部装置を交換するような場合には、交換品に改めてアドレスを設定しなおす必要があった。
【００１４】
本発明は、このような課題に鑑みてなされたもので、その目的とするところは、簡易な構成で、全ての表示装置に対して個々の表示装置毎にアドレス設定を行う必要を無くして設置時の手間を軽減し、タイル表示装置における位置検出の際の周囲環境の条件を緩和することが可能な映像表示システムを提供することにある。
【課題を解決するための手段】
【００１５】
本発明は、このような目的を達成するために、請求項１記載の発明は、各々が点灯手段を有する、複数のタイル表示部と、ネットワークを介して前記タイル表示部に接続され、前記タイル表示部の各々に固有の論理アドレスを割り当てる割り当て手段と、前記割り当てられた論理アドレスから１つの論理アドレスを選択し、該選択された論理アドレスを有するタイル表示部に対して、前記点灯手段を点灯させる命令を含む表示データを、前記ネットワークを介して送信する表示データ送信手段と、前記複数のタイル表示部の映像を撮影し、該映像に関する映像信号を出力する撮像手段と、前記映像信号が入力され、該映像信号を画像処理して、前記選択された論理アドレスと、前記複数のタイル表示部の配置位置に対する、前記表示データに応じて点灯した点灯手段を有するタイル表示部の物理的な位置との関係を取得する取得手段とを備えることを特徴とする。
【００１６】
請求項２記載の発明は、請求項１記載の発明において、前記複数のタイル表示部により大画面が形成され、前記大画面の４隅に位置するタイル表示部には、前記割り当て手段にて割り当てられる論理アドレスとは異なるアドレスが予め割り当てられていることを特徴とする。
【００１７】
請求項３記載の発明は、請求項２記載の発明において、前記異なるアドレスに前記表示データを送信する手段をさらに備え、前記取得手段は、前記手段が前記異なるアドレスに前記表示データを送信した際の、前記４隅に位置するタイル表示部が有する点灯手段が点灯した第２の映像信号から、前記複数のタイル表示部の配置位置に対する、前記４隅の物理的な位置を取得し、該位置と前記映像信号とから、前記表示データに応じて点灯した点灯手段を有するタイル表示部の、前記４隅に対する相対位置を取得することを特徴とする。
【００１８】
請求項４記載の発明は、請求項１乃至３のいずれかに記載の発明において、前記点灯手段は、前記タイル表示部のディスプレイ部であることを特徴とする。
【００１９】
請求項５記載の発明は、請求項１乃至３のいずれかに記載の発明において、前記点灯手段は、発光素子であることを特徴とする。
【００２０】
請求項６記載の発明は、各々が点灯手段を有する、複数のタイル表示部と、ネットワークを介して前記タイル表示部に接続され、前記タイル表示部の各々より論理アドレスの取得の要求を受信すると、前記タイル表示部の各々に固有の論理アドレスを割り当てるサーバと、前記複数のタイル表示部の映像を撮影し、該映像に関する映像信号を出力する撮像手段と、前記割り当てられた論理アドレスから１つの論理アドレスを選択し、該選択された論理アドレスを有するタイル表示部に対して、前記点灯手段を点灯させる命令を含む表示データを、前記ネットワークを介して送信する表示データ送信手段と、前記映像信号が入力され、該映像信号を画像処理して、前記選択された論理アドレスと、前記複数のタイル表示部の配置位置に対する、前記表示データに応じて点灯した点灯手段を有するタイル表示部の物理的な位置との関係を取得する取得手段とを有し、前記ネットワークを介して、前記タイル表示部に接続された制御装置とを備えることを特徴とする。
【発明の効果】
【００２１】
本発明によれば、複数のタイル表示部の論理アドレスと大画面中のタイル表示部の物理的な位置との関係付けを、大画面を撮影する撮像手段からの情報を元に関連付けることで、個々のタイル表示部の表示位置を把握することが可能になる。このため、全てのタイル表示部に対してアドレス設定を行うことが不要となる。
【発明を実施するための最良の形態】
【００２２】
以下、図面を参照して本発明の実施形態を詳細に説明する。なお、以下で説明する図面で、同一機能を有するものは同一符号を付け、その繰り返しの説明は省略する。  
本発明の一実施形態は、複数のタイル表示部からなるタイル表示装置を複数用いて大画面を形成するものである。タイル表示装置は１つでも良い。この場合は、複数のタイル表示部により大画面が形成されることになる。
【００２３】
なお、本発明の一実施形態において、タイル表示部として、例えば、有機ＥＤディスプレイ、液晶ディスプレイ、プラズマディスプレイ等の、映像を表示できる手段であればその形態は問わずいずれの手段を用いても良い。
【００２４】
本発明の一実施形態は、少なくとも１つのタイル表示装置からなる映像表示システムにおいて、タイル表示装置が有する各タイル表示部の物理的な位置（位置座標）と、該タイル表示部に割り当てられる論理アドレスとの対応付けを行っている。
【００２５】
本明細書において、「物理的な位置」、「位置座標」とは、実際の大画面を構成する、大画面ディスプレイ装置やタイル表示装置内における、各タイル表示部の配置位置を指す。
【００２６】
本発明の一実施形態において、各タイル表示部は、タイル表示部の制御を行うタイル表示制御部を備えており、個々のタイル表示制御部はネットワークに接続されている。このネットワークを経由して、各タイル表示制御部と、コンピュータ等の表示制御装置との間で表示データや画像データなどの各種データのやり取りを行う。
【００２７】
上記ネットワークには、固有にアドレスが決まっているものを採用する。このようなネットワークの一例としてイーサネットが挙げられる。イーサネットでは、唯一の固有のアドレスが決まっている。唯一のアドレスが決まっているネットワークであれば、イーサネットでなくてもよい。すなわち、用いるネットワーク中で、各クライアント（タイル表示部）に固有のアドレスを割り当てることができるものであれば、いずれのネットワークを用いても良い。
【００２８】
また、本発明の一実施形態では、大画面ディスプレイ装置（少なくとも１つのタイル表示装置からなる装置）全体が撮影可能なカメラなどの撮像装置を用意する。表示制御装置は、この撮像装置で撮像した画像データ（映像信号）を入力できるものとする。なお、本発明の一実施形態では、撮像装置からの映像信号を表示制御装置に入力できれば良く、表示制御装置と撮像装置とは有線接続・無線接続のいずれであっても良い。
【００２９】
また、ネットワークとは別に、タイル表示部と表示制御装置との間に別の通信手段を設けても良い。すなわち、タイル表示部と表示制御装置との間に、上記ネットワークとは別に、有線接続または無線接続を行っても良い。本発明の一実施形態では、ネットワーク、有線接続または無線接続を介して、表示制御装置からタイル表示部（タイル表示制御部）へと表示制御信号が送信される。
【００３０】
本明細書において、「表示制御信号」とは、画像の表示制御用の信号であり、この信号により、個々のタイル表示部の表示タイミングの同期が取られる。
【００３１】
このような構成により、表示制御装置はネットワークインタフェースを有し、個々のタイル表示制御部をネットワークに接続することによって、ネットワーク経由でタイル表示制御部を制御できる。また、表示制御装置は、表示データを個々のタイル表示制御部に送信することができる。
【００３２】
本発明の一実施形態では、大画面ディスプレイ装置を構成するタイル表示装置が備えるタイル表示制御部（タイル表示部）の各々が固有の論理アドレスを有し、表示制御装置が該論理アドレスの各々と物理的な位置との関連付け（対応付け）を行うことが重要である。この関連付けにより、表示制御装置は、個々のタイル表示制御部（タイル表示部）の論理アドレスが分かり、その各々のタイル表示制御装置にアクセス可能である。このため表示制御装置の制御用ソフトウェアの記述は論理アドレスだけでよい。
【００３３】
表示制御装置は、表示データを所定の１つの論理アドレスに送信する。本発明の一実施形態では、各タイル表示部は、上記表示データに応じて点灯する点灯手段を備えている。よって、上記表示データを受信すると、上記所定の１つの論理アドレスを有するタイル表示部の点灯手段が点灯する。このとき、撮像装置により、大画面ディスプレイ装置の表示状態を撮影して、該撮像装置で撮影した画像データを取得する。表示制御装置は、撮像装置から上記画像データに関する映像信号を取り込み、該映像信号に基づいて画像処理を行う。表示制御装置は、上記画像処理により、撮影画像から発光している部分を特定できる機能により、大画面中の表示位置を特定できる。すなわち、大画面ディスプレイ装置における、上記所定の１つの論理アドレスを有するタイル表示部の物理的な位置に関する位置座標情報を取得することができる。このとき、位置座標情報と、その位置座標情報に対応する論理アドレスを対応付けることによって、位置座標情報と論理アドレスとの関係を示すテーブルに記録する。
【００３４】
上記対応付けを、１つの論理アドレス毎に順次行うことによって、大画面ディスプレイ装置中の各パネル表示部と論理アドレスとの関係を得ることができる。
【００３５】
（第１の実施形態）  
図１は、本実施形態に係る、映像表示システムの該略図である。  
図１において、図２に示すように、複数のタイル表示部７を備えるタイル表示装置１の各々は、ネットワーク４に接続されている。また、コンピュータ等の表示制御装置３もネットワーク４に接続されており、ネットワーク４を介して、タイル表示装置１および表示制御装置３は互いに通信を行うことができる。タイル表示装置１および表示制御装置３はそれぞれ、無線通信手段（不図示）を備えており、該無線通信手段によって、表示制御装置３は、表示制御信号２をタイル表示装置１（タイル表示装置が備えるタイル表示部７）へと送信することができる。また、複数のタイル表示装置１から形成される大画面ディスプレイ装置の少なくとも画面全面を撮影できるように、カメラなどの撮像装置５が配置されている。この撮像装置５も不図示の無線通信手段を備えており、無線通信手段によって、撮影装置５は、撮影装置５にて撮影した画像に関する映像信号６を表示制御装置３へと送信することができる。
【００３６】
なお、図１では、図面を見やすくするために便宜上、各タイル表示装置１を別個に記載しているが、実際は、各タイル表示装置１全体で大画面を形成するように配置されている。すなわち、複数のタイル表示装置１によって大画面ディスプレイ装置が形成されることになる。しかしながら、本発明ではパネル表示装置１の配置の仕方は本質ではないので、各タイル表示装置１を離間して配置するようにしても良い。
【００３７】
図２は、複数のタイル表示部７が組み合わされてタイル表示装置１が構成される様子を示した図であって、タイル表示装置１の正面図である。図２に示されるように、タイル表示装置１は、複数のタイル表示部７を備えており、縦横に複数のタイル表示部７を整列させている。このタイル表示部７の各々は、ネットワーク４を介して表示制御装置３に接続されている。
【００３８】
図３は、図２に示したタイル表示装置１の側面を概略的に示した図である。図３から分かるように、各タイル表示部７のディスプレイ部（正面側）と対向する側に、タイル表示制御部８が設けられている。図３の円の中に、タイル表示装置１がタイル表示制御部８を備えている様子を模式的に示しているが、実際は、図３の左側の図に示すように、各タイル表示部７にタイル表示制御部８がそれぞれ設けられている。各タイル表示制御部８は、ネットワーク４にそれぞれ接続されている。
【００３９】
図４は、図１に示した構成をより具体的に説明した図である。図４では、ネットワーク４の一例として、イーサネット９を用いている。すなわち、イーサネット９を利用し、ハブ１０を利用する場合のものである。（イーサネット９では、１０baseT や１００baseT などハブ１０を利用するものもあるが、使用しないものもある。）また、図４では、説明の便宜上１つのタイル表示装置１のみを示している。
【００４０】
図４では、表示制御装置３はハブ１０に接続されている。また、各タイル表示制御部８はイーサネット９を介してハブ１０に接続されている。また、ハブ１０には、論理アドレスとしてのＩＰアドレスを各タイル表示制御部８に割り当てるＤＨＣＰ（Dynamic Host Configuration Protocol）サーバ１１が接続されている。これはイーサネットの通信プロトコルにＴＣＰ／ＩＰを用いており利用するものである。  
このような構成において、表示制御装置３、各タイル表示制御部８、およびＤＨＣＰサーバ１１は、イーサネット９およびハブ１０を介して互いに通信することができる。
【００４１】
図１４は、本実施形態に係る、表示制御装置３のブロック図の該略図である。  
図１４において、全体を符号３で示す表示制御装置において、ＣＰＵ３１は、本表示制御装置の動作の制御処理やデータ処理等を実行する。メモリとしての記録装置３２は、それらの処理手順等のプログラムを格納したＲＯＭ（不図示）と、それらの処理を実行するためのワークエリア等として用いられるＲＡＭ（不図示）とを有する。ネットワークインタフェース部３３は、表示制御装置３と、タイル表示制御部８、ＤＨＣＰサーバ１１との間でデータやコマンド等の情報を授受するためのインタフェースである。表示制御信号インタフェース部３４は、表示制御装置３と、タイル表示制御部８との間で表示制御信号２を授受するためのインタフェースである。映像信号インタフェース部３５は、表示制御装置３と、撮像装置５との間で映像信号６を授受するためのインタフェースである。
【００４２】
以上の各部のほか、所定の指令あるいはデータなどを入力するキーボードあるいは各種スイッチなどを含む入力操作部３６、表示制御装置３の入力・設定状態などをはじめとする種々の表示を行う表示部３７は、バスライン３８に接続されている。
【００４３】
以下、図４に示した本実施形態に係る映像表示システムの具体的な動作例を示す。すなわち、本システムではネットワーク４にインサーネット９を用い、通信プロトコルはＴＣＰ／ＩＰ採用するものとする。
【００４４】
工程１  
ＤＨＣＰサーバ１１では、タイル表示装置１用に決められたＩＰアドレスを用意する。この場合、タイル表示装置１の物理アドレス（物理的な位置）は分からなくてもよい。このとき、表示制御装置３は、各タイル表示装置１からなる大画面ディスプレイ装置が備えるタイル表示部７に割り当てるべきＩＰアドレス（論理アドレス）を示すＩＰアドレス情報を、ハブ１０を介して送信する。ＤＨＣＰサーバ１１は、ＩＰアドレス情報を受信すると、タイル表示部７に割り当てるＩＰアドレスを認識することになり、タイル表示制御部８からＩＰアドレス取得の要求を受けると、ＩＰアドレス情報からＩＰアドレスを１個ずつ各タイル表示部７に割り当てることになる。
【００４５】
なお、各タイル表示装置１が備えるタイル表示部７の数は、予めユーザにより入力操作部３６を介して表示制御装置３に入力される。これにより、表示制御装置３は、大画面ディスプレイ装置が備えるタイル表示部７の数を認識することができ、該数に応じて、ＩＰアドレス情報を生成する。この生成されたＩＰアドレス情報は、記録装置３２に記録される。本実施形態では、タイル表示装置１の各々は、４×４のタイル表示部７にて形成されているので、Ｎ（Ｎ；自然数）をタイル表示装置の数とすると、表示制御装置３には、大画面ディスプレイ装置が備えるタイル表示部の数として、Ｎ×４×４個が入力される。よって、Ｎ×４×４個のＩＰアドレスを用意することになる。
【００４６】
なお、本実施形態では、割り当てるべきＩＰアドレスを表示制御措置３にて予め決定し、決定されたＩＰアドレスをＤＨＣＰサーバ１１に教えているが、この形態に限らない。例えば、ＩＰアドレス取得の要求により、各タイル表示部７に割り当てたＩＰアドレスを、ＤＨＣＰサーバ１１が表示制御装置３に教えるようにしても良い。このときは、例えば、ＤＨＣＰサーバ１１は、各タイル表示部７に割り当てたＩＰアドレスを示すＩＰアドレス情報を、ハブ１０を介して表示制御装置３に送信すれば良い。
【００４７】
すなわち、本実施形態では、対象となる各タイル表示部７に結果として割り当てられるＩＰアドレスを、表示制御装置３が、後述する物理的な位置と論理アドレスとの対応付けの前に有することが重要であって、その方法はいずれの方法であっても良いのである。
【００４８】
工程２  
個々のタイル表示装置１は初期段階で、ＤＨＣＰサーバ１１にＩＰアドレスの取得を要求して、ＩＰアドレスを入手する。これにより、個々のタイル表示装置１は論理アドレスを獲得する。すなわち、個々のタイル表示制御部８は、イーサネット９を介してＤＨＣＰサーバ１１にＩＰアドレス要求情報を送信し、ＤＨＣＰサーバ１１は、該ＩＰアドレス要求情報を受信すると、イーサネット９を介して、各タイル表示制御部８に対してＩＰアドレスを割り当てる。各タイル表示制御部８は、割り当てられたＩＰアドレスを後述するＲＡＭ１７に記録する。
【００４９】
工程３  
表示制御装置３では、予め定められた（制御用のソフトウェアとして用意しておく）論理アドレスに基づき個々のタイル表示装置１にアクセスをする。
【００５０】
工程４  
画像表示装置３は、イーサネット９を介して特定の論理アドレス（ＩＰアドレス）のタイル表示部７に表示データ送信する。上記表示データに基づいて、上記特定のＩＰアドレスを有するタイル表示部を点灯（発光）する様子を図５に示す。図５において、画像表示装置３からの表示データに基づいて点灯しているタイル表示部を点灯表示部１２として示す。すなわち、点灯表示部１２とは、タイル表示部と別個の部材ではなく、画像表示装置３から送信される表示データに基づいて点灯（発光）しているタイル表示部を指す。
【００５１】
画像表示装置３は、記録装置３２に記録されているＩＰアドレス情報から、ＩＰアドレスを１個選択し、該ＩＰアドレスに向けて表示データを送信する。大画面ディスプレイ装置に含まれるタイル表示部の、上記ＩＰアドレスを有するタイル表示部７は、表示データを受信し、該表示データに従って、タイル表示部７のディスプレイ部全体を白色に点灯（発光）する。この点灯してタイル表示部７が点灯表示部１２となる。
【００５２】
本明細書において、「表示データ」とは、画像表示装置３から各タイル表示部７へと送られる点灯（発光）指示に関する情報である。該表示データを受信したタイル表示部７は、表示データに含まれるコマンドに従って、タイル表示部７が備える点灯手段を点灯させる。この点灯手段とは、表示データに応じて点灯するものであればいずれであっても良く、例えば、タイル表示部７が備えるディスプレイ部、該ディスプレイ部とは別個のＬＥＤ、ＬＤ等の発光素子など、反射などではなく、自ら発光するものであればいずれであっても良い。本実施形態では、点灯手段はタイル表示部が備えるディスプレイ部としている。
【００５３】
なお、本実施形態では、表示データに含まれるコマンドとして、タイル表示部が備えるディスプレイ部全体を発光するようなコマンドにしているが、ディスプレイ部の一部のみを発光させるようなコマンドであっても良い。また、表示データに従って白色で点灯しているが、他の色であっても良い。さらに、上記表示データは、所定の色を点灯させるためのデータではなく、所定の画像データであってもよい。すなわち、本発明で重要なことは、表示データに従って何をタイル表示部にて表示するのか、ではなく、後に表示制御装置３にて論理アドレスと物理的な位置との関連付けを行うために、表示データに従いタイル表示部７が自ら発光することによって、表示制御装置３が表示データを送ったＩＰアドレスを有するタイル表示部７はどこにあるのかを表示制御装置３に認識させることである。
【００５４】
工程５  
撮像装置５では大画面ディスプレイ装置の全体を撮影しているので、その映像信号６が表示制御装置３に入力される。すなわち、撮像装置５は、大画面ディスプレイ装置の１つのタイル表示部（点灯表示部１２）が点灯している映像を映像信号として表示制御装置３へと送信する。
【００５５】
工程６  
表示制御装置３においては、撮像装置５から送られた映像信号６に基づき、大画面ディスプレイ装置のどのタイル表示部７が点灯しているかを画像処理で求める。この結果点灯している位置座標（物理的な位置）と点灯指示（表示データ）を出したタイル表示部７との関係が、表示制御装置３にて対応が取れる。
【００５６】
以下、図６〜８を用いて、物理的な位置と論理アドレスとの対応付けを説明する。  
（１）表示制御装置３が、ＩＰアドレス（１）に点灯指示を出す。すなわち、表示制御装置３は、ＩＰアドレス（１）に表示データを送信する。  
（２）各タイル表示部７では図６の点灯表示部１２の位置が光る（点灯する）。このとき、あるタイル表示装置１の各タイル表示部７では、例えば図８に示すように、ＩＰアドレスが割り当てられている。すなわち、各タイル表示部７は、ＤＨＣＰサーバ１１へのＩＰアドレスの要求によって、固有のＩＰアドレスを取得する。図８では、あるタイル表示装置１が備えるタイル表示部７のＩＰアドレスの所在を示しているが、他のタイル表示装置１についても、同様に、各タイル表示部７について固有のＩＰアドレスが割り当てられている。  
（３）この点灯した（光った）位置は撮像装置５により撮影され、映像信号６となり表示制御装置３に送られる。  
（４）表示制御装置３では、この映像信号６を画像処理して、点灯している部分（タイル表示部）が表示部分（大画面ディスプレイ装置）のどこに対応するかを検出する。この例では、図７に示す表示位置の、物理的な位置としてのアドレス（２，１）に対応していることが分かる。これで、論理アドレス（１）と表示位置のアドレス（２，１）の対応がとれる。このとき、映像信号６の画像処理において、大画面ディスプレイ装置内の各タイル表示部の物理的な位置も決めていく。このようにして、ＩＰアドレスと物理アドレス（物理的な位置）との対応関係が得られ、図９に示すような該対応関係に関するテーブルを作成し、記録装置３２に記録する。
【００５７】
なお、ＴＣＰ／ＩＰの論理アドレス（ＩＰアドレス）は２の３２乗や２の１２８乗などのアドレス空間から１つが選ばれることになる。ここでは、説明を簡略化するために（１）−（１６）として記載した。
【００５８】
工程７  
工程６の操作をＩＰアドレス（１）−（１６）に対して実施することで、表示制御装置３では、表示位置（物理アドレス）と論理アドレスとの関係が明確になる。すなわち、ＩＰアドレス（１）〜（１６）について上記方法によって論理アドレスと物理アドレスとの対応を求め、該対応に基づいてテーブルを作成する。図９に表示制御装置３が取得する論理アドレスと物理アドレスとの対応に関するテーブルを示す。
【００５９】
映像を表示する際は、個々の表示位置（物理アドレス）に対する、個々のタイル表示部７の論理アドレスが分かっているため、表示制御装置３から表示位置に対応する画像データをイーサネット９を介して、対象となるタイル表示部７に送ることが可能になる。タイル表示制御部８の動作を示す。
【００６０】
図１０は、本実施形態に係る、表示制御装置３のブロック図の該略図である。  
図１０において、タイル表示制御部８は、表示制御部１３を備えている。この表示制御部１３は、タイル表示制御部８の動作の制御処理やデータ処理等を実行するＣＰＵと、それらの処理手順等のプログラムを格納したＲＯＭ（不図示）と、それらの処理を実行するためのワークエリア等として用いられるＲＡＭ（不図示）とを有する。表示制御部１３には、表示メモリ２１が接続されており、この表示メモリ２１には、画像データや表示データが記録される。また、表示制御部１３には、組込制御バス１４を介して組込制御部１８が接続されている。この組込制御部１８は、フラッシュメモリ１５と、ＭＰＵ１６と、ＲＡＭ１７と、ネットワークインタフェース部２０とを有する。また、表示制御部１３には、表示制御信号インタフェース部１９、およびタイル表示部７が接続されている。
【００６１】
（１）表示制御装置３は、表示位置に対応するタイル表示部７のタイル表示制御部８に接続されるイーサネット９を介して、画像データを送出する。この際、表示位置と個々のタイル表示部７の論理アドレスが分かっているために、対象となるタイル表示部へと画像データの送出が可能となる。  
（２）タイル表示制御部８は、イーサネット９を経由して、タイル表示制御部８のネットワークインタフェース部２０を介して、表示制御装置３から画像データを取込む。  
（３）表示制御部１３では、（２）で取り込まれた画像データを表示メモリ２１に記録する。次いで、表示制御部１３は、表示メモリ２１から画像データを読出しタイル表示部７に画像データを送出する。  
（４）表示制御装置３から出力される表示制御信号２は各々のタイル表示制御部８に供給されて、その信号に基づき画像の表示が行われるので、タイル表示部７毎に表示タイミングがずれことはない。
【００６２】
以上説明したように、本実施形態によれば、各タイル表示部７が有する論理アドレスを、表示制御装置３が分かっている状態で、表示データに応じて１つずつタイル表示部７を点灯させ、大画面ディスプレイ装置のうちの１つのタイル表示部が点灯している映像に基づいて、点灯しているタイル表示部７の物理的な位置を決定し、該物理的な位置と論理アドレスとの対応付けを取得している。従って、従来のように複雑な計算を行わなくても、論理アドレスと物理的な位置との対応付けを得ることができる。
【００６３】
また、各タイル表示部７が固有の論理アドレスを取得し、該論理アドレスに向けて表示データを送信して、１つずつ論理アドレスと物理的な位置との対応付けを行うので、大画面ディスプレイ装置の設置時に、各タイル表示部７へのアドレスの割り当てを行う必要が無い。従って、割り当てられたアドレスと物理的な位置とを考慮しながら各タイル表示部７を設置する必要が無くなり、設置時の手間が軽減できる。すなわち、より簡単に大画面ディスプレイ装置の設置を行うことが可能である。
【００６４】
また、本実施形態では、対象となる論理アドレスを有するタイル表示部を特定する際に、上記論理アドレスを有するタイル表示部のディスプレイ部から発光させているので、設置時が暗い場合であっても、映像信号による画像処理の際に点灯表示部の特定が可能である。よって、本実施形態では、各タイル表示部のディスプレイ部は、画像を表示する機能の他に、点灯表示部を特定する手段としても機能する。このように、本実施形態は、周囲が暗い環境でも実施することができるので、位置検出の際の周囲環境の条件を緩和することができる。
【００６５】
さらに、本実施形態では、各タイル表示部７のディスプレイ部全面から発光（本実施形態では、白色を点灯している）しているので、その発光位置の把握はタイル表示部の縦横の分解能で良く、撮像装置５に求められる分解能は、タイル表示部の縦横の分解能で良い。よって、撮像装置に求められる分解能を低くすることができるので、より安価な撮像装置でも適用することができ、コストダウンを図ることができる。
【００６６】
なお、本実施形態では、ＤＨＣＰサーバ１１を、表示制御装置３と別個の装置としているが、ＤＨＣＰサーバ１１と表示制御装置３とを一体化しても良い。また、撮像装置５についても、表示制御装置３と別個な装置としているが、一体化しても良い。
【００６７】
また、本実施形態では、物理的な位置と論理アドレスとの対応付けを、大画面ディスプレイ装置全体について行っているが、１つのタイル表示装置毎に行っても良い。本実施形態では、複数のタイル表示装置１からなる大画面ディスプレイ装置の全タイル表示部に対して上記対応付けを行っているが、１つのタイル表示装置毎順次行っても良いのである。
すなわち、本実施形態では、大画面ディスプレイ装置が備えるタイル表示部に、固有の論理アドレスを割り当て、各論理アドレスと物理的な位置との対応関係を、表示制御装置３が取得できれば良いのであって、その順番はいずれであっても良いのである。
【００６８】
（第２の実施形態）  
図１１は、本実施形態に係る、映像表示システムの該略図である。図１１の構成は図１と同じであり、動作も第１の実施形態とタイル表示部を複数点灯させること以外は同じである。
【００６９】
本実施形態では、少なくとも１つのタイル表示装置１からなる大画面ディスプレイ装置の４隅のタイル表示部７の論理アドレスのみ、予め設定しておく。ユーザは、この予め設定された論理アドレスと該論理アドレスを有する物理的な位置に関する情報を、入力操作部３６を介して表示制御装置３に入力し、該情報を記録装置３２に記録する。これによって、表示制御装置３は、予め大画面ディスプレイ装置の４隅に位置するタイル表示部の論理アドレスを予め知っていることになる。
【００７０】
このように、本実施形態によれば、大画面ディスプレイ装置の４隅のタイル表示部のみについて予め論理アドレスを設定すれば良いので、全てのタイル表示部に対して論理アドレスとその物理的な位置との関係を設定する必要が無く、設置時の手間を軽減することができる。
【００７１】
本実施形態では、最初に点灯させるタイル表示部を、予め論理アドレスと物理的な位置との関係を明らかにされた大画面ディスプレイ装置の４隅とする。この画像を撮像装置５で撮影して画像処理をする際に、４隅のタイル表示部７が点灯していると、撮像装置５の画像の中でのパネルの座標が把握することが容易になる。
【００７２】
図１２にその撮像装置５の撮像領域２２とその中における大画面ディスプレイ装置の位置を示す。４隅のタイル表示部７が点灯しているので、撮像領域２２における大画面ディスプレイの撮影座標が把握できる。
【００７３】
本実施形態では、第１の実施形態の工程４の前に、予め入力された、大画面ディスプレイ装置の４隅の論理アドレスに向けて表示データを送信する。上記４隅のタイル表示部７は、上記表示データを受信して、ディスプレイ部から白色を点灯する。撮像装置５は、上記４隅を点灯した大画面ディスプレイ装置の映像を撮像装置５にて撮影し、該映像に関する映像信号６を表示制御装置３に送信する。表示制御装置３は、該映像信号に基づいて、大画面ディスプレイ装置内の４隅の位置を把握する。なお、上記４隅への論理アドレスの送信は、４つの論理アドレスに向けて同時に行っても良いし、所定数の論理アドレスずつ行っても良い。
【００７４】
次いで、工程４を行うことによって、４隅のタイル表示部の物理的な位置（座標位置）と点灯しているタイル表示部の相対位置が分かるので、後の画像処理において、表示制御装置３においてもタイル表示部の位置の把握が容易になる。
【図面の簡単な説明】
【００７５】
【図１】本発明の一実施形態に係る、映像表示システムの該略図である。
【図２】本発明の一実施形態に係る、タイル表示装置の正面図である。
【図３】本発明の一実施形態に係る、タイル表示装置の側面の該略図である。
【図４】本発明の一実施形態に係る、ネットワークとしてイーサネットを用いた場合の映像表示システムの該略図である。
【図５】本発明の一実施形態に係る、所定のタイル表示部を発光させる様子を説明する図である。
【図６】本発明の一実施形態に係る、点灯しているタイル表示部の表示位置を説明する図である。
【図７】本発明の一実施形態に係る、タイル表示部の物理的な位置を説明する図である。
【図８】本発明の一実施形態に係る、タイル表示部に論理アドレスが割り当てられている様子を示す図である。
【図９】本発明の一実施形態に係る、論理アドレスと物理アドレス（物理的な位置）との対応に関するテーブルを示す図である。
【図１０】本発明の一実施形態に係る、タイル表示制御部の概略ブロック図である。
【図１１】本発明の一実施形態に係る、映像表示システムの該略図である。
【図１２】本発明の一実施形態に係る、撮像装置で撮影した画像において、大画面ディスプレイ装置の４隅が点灯している様子を示す図である。
【図１３】本発明の一実施形態に係る、大画面ディスプレイ装置の４隅の点灯と、その後の点灯の動作例を示す図である。
【図１４】本発明の一実施形態に係る、表示制御装置の概略ブロック図である。
【符号の説明】
【００７６】
１  タイル表示装置
２  表示制御信号
３  表示制御装置
４  ネットワーク
５  撮像装置
６  映像信号
７  タイル表示部
８  タイル表示制御部
９  イーサネット
１０  ハブ
１１  ＤＨＣＰサーバ
１２  点灯表示部
１３  表示制御部
１４  組込制御パス
１５  フラッシュメモリ
１６  ＭＰＵ
１７  ＲＡＭ
１８  組込制御部
１９  表示制御信号インタフェース部
２０  ネットワークインタフェース部
２１  表示メモリ
２２  撮像領域
３１  ＣＰＵ
３２  記録装置
３３  ネットワークインタフェース部
３４  表示制御信号インタフェース部
３５  映像信号インタフェース部
３６  入力操作部
３７  表示部
【図１】
2008164986.tif 000003
【図２】
2008164986.tif 000004
【図３】
2008164986.tif 000005
【図４】
2008164986.tif 000006
【図５】
2008164986.tif 000007
【図６】
2008164986.tif 000008
【図７】
2008164986.tif 000009
【図８】
2008164986.tif 000010
【図９】
2008164986.tif 000011
【図１０】
2008164986.tif 000012
【図１１】
2008164986.tif 000013
【図１２】
2008164986.tif 000014
【図１３】
2008164986.tif 000015
【図１４】
2008164986.tif 000016